(57)【要約】【課題】取付け可能な範囲が広い簡易な構成の作業床を提供する。【解決手段】複数の足場横材２２を備えた足場２０に取付けて用いる作業床１であって、床面２ａを有する床板部２と、床板部２の左右両側から下方に延び、第１の足場横材２２に引っ掛け可能なフック部７をそれぞれ有する一対の縦材３と、床板部２の手前側に一端部４ａが連結されるとともに縦材３に他端部４ｂが連結される斜め材４と、を備え、縦材３は、第１の足場横材２２ａにフック部７を引っ掛けた状態で、第１の足場横材２２ａの下方に位置する第２の足場横材２２ｂに係合可能に構成されていることを特徴とする。【選択図】図１
2017066664.tif 000002
【特許請求の範囲】
【請求項１】
複数の足場横材を備えた足場に取付けて用いる作業床であって、
床面を有する床板部と、
該床板部の左右両側から下方に延び、第１の足場横材に引っ掛け可能なフック部をそれぞれ有する一対の縦材と、
前記床板部の手前側に一端部が連結されるとともに前記縦材に他端部が連結される少なくとも一つの斜め材と、を備え、
前記縦材は、前記第１の足場横材に前記フック部を引っ掛けた状態で、前記第１の足場横材の下方に位置する第２の足場横材に係合可能に構成されていることを特徴とする作業床。
【請求項２】
足場縦材及び足場横材を備えた足場に取付けて用いる作業床であって、
床面を有する床板部と、
該床板部の左右両側から下方に延び、前記足場横材に引っ掛け可能なフック部をそれぞれ有する一対の縦材と、
前記床板部の手前側に一端部が連結されるとともに前記縦材に他端部が連結される少なくとも一つの斜め材と、を備え、
前記縦材は、前記足場横材に前記フック部を引っ掛けた状態で、前記足場縦材に係合可能な係合部を有することを特徴とする作業床。
【請求項３】
前記斜め材が、前記床板部の左右両側にそれぞれ設けられている、請求項１又は２に記載の作業床。
【請求項４】
前記フック部が、前記足場横材からの脱落を防止するロック機構を有する、請求項１〜３の何れか１項に記載の作業床。
【請求項５】
前記縦材が、前記床板部への昇降時に足を掛けることが可能な足掛け部を有する、請求項１〜４の何れか１項に記載の作業床。
【請求項６】
前記縦材が、第１ヒンジ部を介して前記床板部の奥側に連結され、
前記斜め材の一端部が、第２ヒンジ部を介して前記床板部の手前側に連結され、前記斜め材の他端部が、前記縦材に対してスライド可能に連結され、前記床板部が折畳み可能に構成されている、請求項１〜５の何れか１項に記載の作業床。
【発明の詳細な説明】
【技術分野】
【０００１】
本発明は、建築作業現場等に設置される足場に取付けて使用する作業床に関する。
【背景技術】
【０００２】
従来、建築、土木などの工事現場においては、例えば、複数の鋼管や足場板等を上下左右に連結して足場を構築し、作業者はこの足場の作業床上に上がって各種の工事作業を行っている。
【０００３】
このような足場の組立て作業において、頭繋ぎ部の設置及び解体作業や、足場用ネットの取付け及び取外し作業などの際には、通常の作業床に立って腕を延ばしても、作業部位に手が届かない場合がある。このような場合には、例えば、足場手摺部等の足場横材に足を掛けた不安定な姿勢で作業を行っているため、墜落、転落の危険性がある。また、足場手摺部等に足を掛けて作業を行う場合、一方の手で足場縦材等を掴むことで作業時の安定性を確保することになるため、他方の片手のみで作業しなければならず、能率が悪いという問題があった。
【０００４】
このような問題を解決するための手段として、例えば、足場縦材に係合する係合部を有する床板材と、床板材の下面に一端が取り付けられて他端が足場縦材に係合する支持部材とを具備した作業床が提案されている（特許文献１参照）。
【先行技術文献】
【特許文献】
【０００５】
【特許文献１】実公平８−３５８４号公報
【発明の概要】
【発明が解決しようとする課題】
【０００６】
しかしながら、特許文献１に記載の作業床は、床板材を下方から支持する支持部材を、足場縦材に係合させることを前提とした構造であるため、足場縦材のある位置にしか設置することができず、取付け可能な範囲が制限されてしまうという問題がある。
【０００７】
それゆえ本発明は、取付け可能な範囲が広い作業床を提供することを目的とする。
【課題を解決するための手段】
【０００８】
本発明は、上記課題を解決するためになされたものであり、本発明の作業床は、複数の足場横材を備えた足場に取付けて用いる作業床であって、
床面を有する床板部と、
該床板部の左右両側から下方に延び、第１の足場横材に引っ掛け可能なフック部をそれぞれ有する一対の縦材と、
前記床板部の手前側に一端部が連結されるとともに前記縦材に他端部が連結される少なくとも一つの斜め材と、を備え、
前記縦材は、前記第１の足場横材に前記フック部を引っ掛けた状態で、前記第１の足場横材の下方に位置する第２の足場横材に係合可能に構成されていることを特徴とするものである。
【０００９】
また、本発明の作業床は、足場縦材及び足場横材を備えた足場に取付けて用いる作業床であって、
床面を有する床板部と、
該床板部の左右両側から下方に延び、前記足場横材に引っ掛け可能なフック部をそれぞれ有する一対の縦材と、
前記床板部の手前側に一端部が連結されるとともに前記縦材に他端部が連結される少なくとも一つの斜め材と、を備え、
前記縦材は、前記足場横材に前記フック部を引っ掛けた状態で、前記足場縦材に係合可能な係合部を有することを特徴とするものである。
【００１０】
また、本発明の作業床にあっては、前記斜め材が、前記床板部の左右両側にそれぞれ設けられていることが好ましい。
【００１１】
また、本発明の作業床にあっては、前記フック部が、前記足場横材からの脱落を防止するロック機構を有することが好ましい。
【００１２】
また、本発明の作業床にあっては、前記縦材が、前記床板部への昇降時に足を掛けることが可能な足掛け部を有することが好ましい。
【００１３】
また、本発明の作業床にあっては、前記縦材が、第１ヒンジ部を介して前記床板部の奥側に連結され、前記斜め材の一端部が、第２ヒンジ部を介して前記床板部の手前側に連結され、前記斜め材の他端部が、前記縦材に対してスライド可能に連結され、前記床板部が折畳み可能に構成されていることが好ましい。
【発明の効果】
【００１４】
本発明によれば、取付け可能な範囲が広い作業床を提供することが可能となる。
【図面の簡単な説明】
【００１５】
【図１】本発明に係る作業床の一実施形態を示す斜視図及び、フック部のロック機構を示す拡大図である。
【図２】図１に示す作業床の床板部を折り畳む様子を示す側面図である。
【図３】図１に示す作業床の異なる取付け方法を示す斜視図である。
【発明を実施するための形態】
【００１６】
以下、図面を参照しつつ、本発明に係る作業床の一実施形態について詳細に説明する。図１に示すように、本実施形態の作業床１は、例えば建物の外周に沿って組み立てられた足場２０に取付けて用いるものである。足場２０は、下端部が接地され、鉛直方向に延びる複数の足場縦材２１と、足場縦材２１に対して直交する方向（水平方向）に連結された複数の足場横材２２とで構成される骨組に対して、水平に足場板（図示省略）を掛け渡して形成される。作業床１は、床板部２と、床板部２の左右両側に設けられた縦材３と、床板部２および縦材３を連結する一対の斜め材４とを備える。
【００１７】
なお、本発明における床板部２、縦材３、斜め材４等の各部材は金属製の板状材料から形成することが可能であるが、特に板厚や材料は限定されるものではなく、必要な強度に応じて適宜設定することができる。また、縦材３、斜め材４等の長尺部材は、板厚や材料に応じて、角型、Ｌ型、Ｈ型、Ｃ型、等の任意の断面形状とすることができる。また、各部材の接合方法は特に限定されず、例えば、ねじ接合、ボルト接合、又は溶接等により接合することができる。
【００１８】
床板部２は、作業者が上がる床面２ａを有する略矩形の天板５と、天板５の外縁から垂下する側壁６とを有する。なお、床板部２の形状は特に限定されず、例えば、天板５を半円形状等とすることも可能である。本実施形態において天板５には、滑り止めを目的としたバーリング加工が施されている。図１に示すように、足場２０に作業床１を取付けた状態において、床面２ａは略水平となる。
【００１９】
縦材３は、床板部２の左右両側における奥側（図１では足場横材２２側）から下方に延びており、本実施形態では、縦材３の上端部が床板部２に対して第１ヒンジ部１５を介して回動可能に連結されている。それぞれの縦材３には、足場横材２２に引っ掛け可能なフック部７が設けられている。フック部７は金属製の板状部材を縦材３にボルト接合することで形成されている。フック部７は足場横材２２に着脱可能に引っ掛けられる。図１に示すようにフック部７を、上方に位置する第１の足場横材２２ａに引っ掛けた状態で、縦材３は、第１の足場横材２２ａの下方に位置する第２の足場横材２２ｂに当接して支持される。すなわち、作業床１は、第１の足場横材２２ａによって上下方向に支持されるとともに、第２の足場横材２２ｂによって前後方向に支持され、第１の足場横材２２ａを中心軸とする揺動を抑制されている。
【００２０】
図１の拡大図に示すように、フック部７には、足場横材２２からの脱落を防止するためのロック機構を構成する板状のスライド部材８が設けられている。スライド部材８には、フック部７の内面から突出する２つのピン９をそれぞれ貫通させる一対の長孔１０が形成されており、スライド部材８はフック部７の内面に沿ってスライド可能に構成されている。フック部７は、スライド部材８が図１の拡大図において実線で示す位置にある状態では足場横材２２に対して着脱可能であり、スライド部材８を破線で示す位置までスライドさせた状態では足場横材２２に対して抜け止め保持される（ロックされる）。なお、スライド部材８は、各フック部７の内面側、外面側の何れに設けてもよい。また、左右一対のフック部７の両方にスライド部材８を設けてもよいし、何れか一方のみに設けてもよい。
【００２１】
各縦材３は、床板部２の下方側において、床板部２への昇降時に足を掛けることが可能な足掛け部１１を有する。足掛け部１１は、何れか一方の縦材３のみに設けてもよい。また、各縦材３に対して複数の足掛け部１１を設けることも可能である。
【００２２】
斜め材４は、一端部４ａが床板部２の手前側に連結され、他端部４ｂが床板部２の下方で縦材３に連結されている。本実施形態では、床板部２の左右両側に、各縦材３に連結する斜め材４を設けているが、何れか一方のみとしてもよい。斜め材４の一端部４ａは、床板部２に対して第２ヒンジ部１６を介して回動可能に連結され、他端部４ｂは、縦材３に対して、縦材３に設けたスライド孔３ａの延在方向に沿ってスライド可能に連結されている。図２に示すように、他端部４ｂを上方側にスライドさせることで、床板部２を折畳むことができる。
【００２３】
また、本実施形態では、一対の縦材３の間に架設された補強部材１３によって、縦材３が補強されており、一対の斜め材４の間に架設された補強部材１４によって、斜め材４が補強されている。
【００２４】
以上のような構成の作業床１は、図１に示すように左右のフック部７を第１の足場横材２２ａに引っ掛け、縦材３の下部を第２の足場横材２２ｂに当接させるだけで、通常の作業床（足場板等）よりも高い位置に作業床１を取付けることができる。これにより、作業者は床面２ａに上がって作業することで、通常の作業床からでは届かない高さの作業部位における作業を、安定した状態で両手を使って行うことが可能となる。また、本実施形態の作業床１は、足場縦材２３を利用せずに取付けることができるので、左右方向における取付け位置が制限されず、広い範囲に取付けることができる。したがって、作業部位の位置に応じて、作業床１を所望の左右位置に取付けることができるので、作業の能率をさらに高めることができる。
【００２５】
また、取付けた作業床１の左右位置を変更する際、足場縦材２１を越えない範囲内であれば、フック部７を足場横材２２に係合させた状態で作業床１を左右に移動させることが可能であるため、作業床１の左右位置の変更が容易である。
【００２６】
ここで、本実施形態では、各縦材３における足掛け部１１から外側に向けて突出する係合部１２が設けられ、図３に示すように、足場縦材２１に対して係合部１２を係合させることで、第２の足場横材２２ｂがない位置にも作業床１を取付け可能な構成としている。すなわち、作業床１は、フック部７を引っ掛ける第１の足場横材２２ａと、係合部１２を係合させる足場縦材２１のみを利用して取付けることもできる。これにより、作業床１の取付け可能な範囲がさらに広くなる。また、係合部１２の先端部が奥側に向けて折り曲げられているため、足場縦材２１に対する位置ずれを抑制することができる。さらに、本実施形態では、係合部１２を前後方向に複数設けているため、複数ある係合部１２のうち適切なものを選択して足場縦材２１に係合させることで、床面２ａが水平に近い角度となるよう調節することが可能となり、より作業時の安全性を高めることができる。また、前後にある二つの係合部１２同士の間隔が足場縦材２１の直径に等しい場合、それら二つの係合部１２の間に第１の足場縦材２１を位置させることで、作業床１が足場横材２２ａを中心として前後両方向に回転（揺動）する動きを防止することができる。なお、本実施形態の係合部１２は、作業床１が第２の足場横材２２ｂに支持され、足場縦材２１に支持されていない状態（図１参照）などにおいては、足掛け部１１の一部として機能する。
【００２７】
また、本実施形態の作業床１にあっては、フック部７にロック機構を設けたことにより、作業床１への昇降時、または作業時におけるフック部７の脱落（外れ）を防止して、より安全性を高めることができる。また、作業床１を取外す際には、ロック機構を解除し、フック部７を上方に持ち上げて係合を解除するだけで取外すことができるため、取外しも容易である。スライド部材８はフック部７の先端から突出するように移動する。すなわち、スライド部材８を、フック部７の上側の空間を利用して操作できるため、操作し易い。
【００２８】
また、本実施形態の作業床１にあっては、斜め材４を床板部２の左右両側にそれぞれ設けたことにより、作業床１の安定性を高まり、作業時の安全性をさらに高めることができる。
【００２９】
また、本実施形態の作業床１にあっては、足掛け部１１を設けたことにより、昇降時に足掛け部１１に足を掛けることで、床面２ａへの昇降が容易となる。
【００３０】
また、本実施形態の作業床１にあっては、床板部２を折畳み可能な構成としたことにより、コンパクトな状態で作業床１を運搬、保管することができる。また、足場２０に取付けた状態で作業床１を折り畳むことで、足場２０内を作業者が移動する際に作業床１が移動の妨げになることを防止することができる。
【００３１】
以上、図示例に基づき説明したが、本発明は上述の実施形態に限定されるものでなく、特許請求の範囲の記載範囲内で適宜変更することができるものであり、例えば、それぞれの縦材３に、上下方向に間隔をあけて複数のフック部７を設けることも可能であり、この場合、足場横材２２に係合するフック部７を変更することで高さの調節が可能となる。
【符号の説明】
【００３２】
１  作業床
２  床板部
２ａ  床面
３  縦材
３ａ  スライド孔
４  斜め材
４ａ  一端部
４ｂ  他端部
５  天板
６  側壁
７  フック部
８  スライド部材（ロック機構）
９  ピン
１０  長孔
１１  足掛け部
１２  係合部
１３、１４  補強部材
１５  第１ヒンジ部
１６  第２ヒンジ部
２０  足場
２１  足場縦材
２２ａ  第１の足場横材
２２ｂ  第２の足場横材
【図１】
2017066664.tif 000003
【図２】
2017066664.tif 000004
【図３】
2017066664.tif 000005